(57)【特許請求の範囲】
【請求項１】
枠体を覆う張地の縁に帯状の係止プレートを取り付け、前記張地に張力を付与した状態で前記枠体を覆いながら前記張地の縁と前記係止プレートとを共に折り返すようにして前記枠体の外側面に設けられた溝に嵌め込んで係止する張地固定構造において、前記枠体のコーナー部に前記外側面に形成された溝と連続するコーナー面のコーナー部溝を設け、前記外側面の溝と嵌合する前記係止プレートとは別のコーナー部係止プレートを前記コーナー部に被せられる前記張地の縁に備え、前記コーナー部に被せられる前記張地の縁と前記コーナー部係止プレートとを前記コーナー部溝に嵌合させ、前記コーナー部に被せられる前記張地の縁を前記コーナー部係止プレートともども前記コーナー部に係止させることを特徴とする張地の固定構造。
【請求項２】
前記枠体は、前記張地によって覆われる部分が互いに向かい合う２本の有端の非環状フレームであり、該フレームの前記コーナー部たる端部の端面に前記コーナー部溝を形成する一方、前記端面と対向する位置の前記張地の縁を折り返して部分的に開口部を設けたポケット部を設けると共に該ポケット部の前記折り返し部分に前記コーナー部係止プレートを取り付け、前記フレーム端部に前記ポケット部を被せるように前記コーナー部係止プレートと前記ポケット部の折り返し部分とを前記端面の前記コーナー部溝に嵌合させ、さらに前記フレームの外側面に設けられた前記溝に前記張地の縁と前記係止プレートとを共に折り返すようにして嵌め込んで係止することを特徴とする請求項１記載の張地の固定構造。
【請求項３】
前記非環状フレームは、座と背とが連続的に一体的に形成されたものであり、両端に前記コーナー部溝を形成すると共に、前記端面と対向する位置の前記張地の縁に前記ポケット部と前記コーナー部係止プレートとを備え、前記フレーム端部に前記ポケット部を被せるように前記コーナー部係止プレートと前記ポケット部の折り返し部分とを前記端面の前記コーナー部溝に嵌合させるようにし、かつ前記両端部の間の当該非環状フレームの間に前記張地を張り込むことによって座と背とが連続的に一体的に形成された構造物を構成する請求項２記載の張地の固定構造。
【請求項４】
前記張地の前記非環状フレームに固定されない前記フレーム間の縁部には、前記縁部が筒状に縫合されると共に該筒内に撓み防止用コードが前記張地に対して摺動自在に収納されるものである請求項２または３記載の張地の固定構造。
【請求項５】
前記枠体は前記張地によって覆われる部分が四辺で囲まれた環状を成しかつそのうちの少なくとも１つの横の辺の両端の前記コーナー部が円弧状である環状フレームであり、前記円弧状コーナー部に前記外側面に形成された前記溝と連続する前記コーナー部溝を円弧状に設ける一方、前記コーナー部係止プレートを前記コーナー部に被せられる前記張地の縁に備え、円弧状の前記コーナー部に被せられる前記張地の縁と前記コーナー部係止プレートとを折り返して前記コーナー部溝に嵌合させ、円弧状の前記コーナー部に被せられる前記張地の縁を前記コーナー部係止プレートともども前記コーナー部に係止させることを特徴とする請求項１記載の張地の固定構造。
【請求項６】
前記コーナー部係止プレートは前記コーナー部とは逆向きの円弧状を成し、前記張地の縁と共に折り返したときに前記コーナー部の円弧状の前記コーナー部溝に嵌合するものである請求項５記載の張地の固定構造。
【発明の詳細な説明】
【技術分野】
【０００１】
本発明は、椅子の座や背凭れ等の身体を支える面を構成する張地のフレームへの固定構造に関する。さらに詳述すると、本発明は、張地の角部のフレームからの外れ防止に好適な張地のフレームへの固定構造に関する。
【背景技術】
【０００２】
近年、身体を支えるのに十分な強さと弾力性とを有する張地の縁をフレームに取り付けて張地で身体を支えるようにした椅子の背もたれや座などの構造体が提案されている。この張地のフレームへの固定構造は、張地の縁を支えるフレームあるいはこれに代わる張地バックアップ部材の側面に溝を設け、この溝に張地の縁を該縁に縫い付けられた樹脂製のプレート（以下コードと呼ぶ）ともども折り返すように嵌め込むことにより、張地をフレームあるいは張地バックアップ部材に係止させるようにしている。
【０００３】
例えば、図１２に示すように、背フレーム１０３に支持される張地バックアップ材１０４の横枠１０４ａの上方の側面及び左右の縦枠１０４ｂの外側面にそれぞれ溝１０４ｘを形成すると共に背凭れ用張地１０１の上側及び左右両側の縁部に長尺薄板状の樹脂製コード１０２を取り付け、当該樹脂製コード１０２が取り付けられた縁部を樹脂製コード１０２ともども折り返すようにして溝１０４ｘに嵌め込んで係止するようにしている（特許文献１）。なお、背凭れ用張地１０１の下端は、当該下端に取り付けられたブラケット１０５を剛性横架材１０６にボルト１０７を用いて固定することによって取り付けられている。
【０００４】
この張地のフレームへの固定構造においては、折り返すようにして溝１０４ｘに嵌め込まれた樹脂製プレート１０２が張地の張力によってフックのようにフレームに引っかかることにより、張地１０１をフレームに固定させることを可能としている。したがって、対向する２辺の間で張地に張力が働く箇所に樹脂製のプレート１０２が縫い付けられて溝１０４ｘに嵌め込まれるようにされている。即ち、特許文献１記載の発明にかかる張地のフレームへの固定構造によれば、張地端部に縫い付けられている樹脂製のプレート１０２は、図１３に示すように、角部には設けられていない。そして、張地１０１は、角部においては、張地１０１のみが治具などを用いて溝１０４ｘに押し込まれることにより張地の角の縁が止められている。
【０００５】
また、図示していないが、非環状のフレーム例えば２本の平行なフレームの間に張地を張り込むことによって座や背あるいは座と背とが連続的に一体的に形成された構造物を構成する場合にも、フレームの外側面にそれぞれ溝が形成されると共に張地の縁部とその縁部に縫い付けられた樹脂製コードとが折り返されるようにして溝に嵌め込まれることで固定される。このときにも、フレームの外側面にのみ溝１０４ｘが設けられ、左右のフレームの間には横のフレームが存在しないために張地の縁だけが張られることなる。
【先行技術文献】
【特許文献】
【０００６】
【特許文献１】特開２００７−１３０３４１号
【発明の概要】
【発明が解決しようとする課題】
【０００７】
しかしながら、特許文献１の張地の固定構造では、図１３に示すように、張地の角部においては、張地のみが治具を使って溝１０４ｘに押し込まれて形が整えられていることから、張地を引き出す力が加えられた場合には、張地が飛び出してくる可能性がある。この張地の飛び出しそのものは、直ちに張地の支持強度には影響を与えるものではないが、外観の美しさが損なわれてしまうという問題がある。
【０００８】
また、この問題は、２本の平行なフレーム（非環状フレーム）の間で張地を支持する場合においても同様で、フレームの外側面に嵌め込まれている張地の縁と係止プレートとが露出するため外観を損ねる。さらに、張地の縁だけが単に押し込まれるだけのフレームの端部では、張地を引き出す力が加えられた場合には、張地が飛び出してくる可能性がある。さらには、張地の端が前後方向（張地にかかる張力の方向と同じ平面で直交する方向）に固定されないため、次第に前後方向にずれを起こして外れる虞がある。
【０００９】
そこで、本発明は、張地の角部あるいは端部を容易に飛び出させない張地の固定構造を提供することを目的とする。
【課題を解決するための手段】
【００１０】
かかる目的を達成するために請求項１記載の発明は、枠体を覆う張地の縁に帯状の係止プレートを取り付け、前記張地に張力を付与した状態で前記枠体を覆いながら前記張地の縁と前記係止プレートとを共に折り返すようにして前記枠体の外側面に設けられた溝に嵌め込んで係止する張地固定構造において、前記枠体のコーナー部に前記外側面に形成された溝と連続するコーナー面のコーナー部溝を設け、前記外側面の溝と嵌合する前記係止プレートとは別のコーナー部係止プレートを前記コーナー部に被せられる前記張地の縁に備え、前記コーナー部に被せられる前記張地の縁と前記コーナー部係止プレートとを前記コーナー部溝に嵌合させ、前記コーナー部に被せられる前記張地の縁を前記コーナー部係止プレートともども前記コーナー部に係止させるようにしている。
【００１１】
請求項２記載の発明は、請求項１記載の張地の固定構造において、枠体が、張地によって覆われる部分が互いに向かい合う２本の有端の非環状フレームであり、該フレームのコーナー部たる端部の端面にコーナー部溝を形成する一方、端面と対向する位置の張地の縁を折り返して部分的に開口部を設けたポケット部を設けると共に該ポケット部の折り返し部分にコーナー部係止プレートを取り付け、フレーム端部にポケット部を被せるようにコーナー部係止プレートとポケット部の折り返し部分とを端面のコーナー部溝に嵌合させ、さらにフレームの外側面に設けられた溝に張地の縁と係止プレートとを共に折り返すようにして嵌め込んで係止するようにしている。
【００１２】
また、請求項３記載の発明は、請求項２記載の張地の固定構造において、非環状フレームが、座と背とが連続的に一体的に形成されたものであり、両端にコーナー部溝を形成すると共に、端面と対向する位置の張地の縁にポケット部とコーナー部係止プレートとを備え、フレーム端部にポケット部を被せるようにコーナー部係止プレートとポケット部の折り返し部分とを端面の前記コーナー部溝に嵌合させるようにし、かつ両端部の間の当該非環状フレームの間に張地を張り込むことによって座と背とが連続的に一体的に形成された構造物を構成するようにしている。
【００１３】
さらに、請求項４記載の発明は、請求項２または３記載の張地の固定構造において、張地の非環状フレームに固定されないフレーム間の縁部には、縁部が筒状に縫合されると共に該筒内に撓み防止用コードが張地に対して摺動自在に収納されるようにしている。
【００１４】
また、請求項５記載の発明は、請求項１記載の張地の固定構造において、枠体が、張地によって覆われる部分が四辺で囲まれた環状を成しかつそのうちの少なくとも１つの横の辺の両端のコーナー部が円弧状である環状フレームであり、円弧状コーナー部に外側面に形成された溝と連続するコーナー部溝を円弧状に設ける一方、コーナー部係止プレートをコーナー部に被せられる張地の縁に備え、円弧状のコーナー部に被せられる張地の縁とコーナー部係止プレートとを折り返してコーナー部溝に嵌合させ、円弧状のコーナー部に被せられる張地の縁をコーナー部係止プレートともどもコーナー部に係止させるようにしている。
【００１５】
さらに、請求項６記載の発明は、請求項５記載の張地の固定構造において、コーナー部係止プレートがコーナー部とは逆向きの円弧状を成し、張地の縁と共に折り返したときにコーナー部の円弧状のコーナー部溝に嵌合するようにしている。
【発明の効果】
【００１６】
請求項１記載の発明によると、コーナー部に被せられる張地の縁とコーナー部係止プレートとをコーナー部溝に嵌合させ、コーナー部に被せられる張地の縁をコーナー部係止プレートともどもコーナー部に係止させるようにしているので、張地に張力がかかり難いコーナー部の張り地の外れを防止できる。張地を引き出す力が加えられても、コーナー部係止プレートがコーナー部溝に係合されて張地が飛び出してくることがない。しかも、コーナー部係止プレートともども張地の縁がコーナー部溝に嵌合するため、枠体のコーナー部の外観に沿った美麗な仕上がりとなる。
【００１７】
また、請求項２記載の発明によると、張地によって覆われる部分が互いに向かい合う２本の有端の非環状フレームの枠体であっても、フレームのコーナー部たる端部の端面にポケット部を被せるようにしてコーナー部係止プレートとポケット部の折り返し部分とを端面のコーナー部溝に嵌合させ、さらにフレームの外側面に設けられた溝に張地の縁と係止プレートとを共に折り返すようにして嵌め込んで係止することことから、フレームの張地が引っ掛けられる部分の端面も張地で覆われて美麗な仕上がりとなると共に張地に張力がかかり難いコーナー部の張り地の外れを防止できる。しかも、張地をフレーム端部から引き出す力が加えられても、コーナー部係止プレートがコーナー部溝に係合されて張地が飛び出してくることがない。
【００１８】
また、請求項３記載の発明によると、張力をかけた１枚の張地によって座と背とが連続的に一体的に形成されると共に、それらの両端面も張地のポケットで覆われるので美麗な仕上がりとなると共にフレームの前後方向においても相互に張地に張力をかけることができ、コーナー部の張り地の外れ並びに張地の前後方向へのずれを防止できる。しかも、張地をフレーム端部から引き出す力が加えられても、コーナー部係止プレートが張地が飛び出してくることがない。加えて、両端部を張地に包みこみながら全体を１枚の張地で張り込むことによって座と背とが連続的に一体的に形成された構造物を構成することができ、厚ぼったさが無くシンプルでスマートなデザインに仕上げることができる。
【００１９】
さらに、請求項４記載の発明によると、非環状フレームに固定されないフレーム間の張地の縁部が撓み防止用コードによって形が保たれるため、フレーム間の張地の縁部に伸縮性を与えながらも張りを持たせることができる。
【００２０】
また、請求項５記載の発明によれば、張地によって覆われる部分が四辺で囲まれた環状を成しかつそのうちの少なくとも１つの横の辺の両端のコーナー部が円弧状である環状フレームの枠体であっても、コーナー部の張り地の縁とコーナー部係止プレートとを折り返してコーナー部溝に嵌合させ、コーナー部に被せられる張地の縁をコーナー部係止プレートともどもコーナー部に係止させることができるので、張地に張力がかかり難いコーナー部の張り地の外れを防止できる。張地を引き出す力が加えられても、コーナー部係止プレートがコーナー部溝に係合されて張地が飛び出してくることがない。しかも、コーナー部係止プレートともども張地の縁がコーナー部溝に嵌合するため、枠体のコーナー部の外観に沿った美麗な仕上がりとなる。
【００２１】
さらに、請求項６記載の発明によれば、コーナー部係止プレートがコーナー部とは逆向きの円弧状を成しているので、張地の縁と共に折り返したときにコーナー部の円弧状のコーナー部溝に嵌合することができ、簡単にコーナー部溝に押し込むことができる。
【図面の簡単な説明】
【００２２】
【図１】本発明の張地の固定構造の実施形態の一例を示す図で、非環状フレームの一端部分を拡大して示す縦断面図である。
【図２】図１のII-II線に沿う縦断面図である。
【図３】図２のIII-III線に沿う横断面図である。
【図４】図２のIV-IV線に沿う横断面図である。
【図５】実施形態における張地のコーナー部分の構成を説明する裏面図である。
【図６】張地の湾曲部における固定構造の実施の一形態を示す縦断面図である。
【図７】本発明の張地の固定構造を適用した非環状フレームの椅子の全体構成を示す側面図である。
【図８】同椅子の正面図である。
【図９】同椅子の非環状フレームを構成するサイドフレームの片持ち支持構造を説明する縦断面図である。
【図１０】同椅子の非環状フレームを構成するサイドフレーム並びにその外側面に形成された溝並びにコーナー部溝を示す側面図で、コーナー溝付近を拡大して示す。
【図１１】本発明の張地の固定構造の他の実施形態を示す図で、環状フレームのコーナー部を拡大して示す底面図である。
【図１２】従来の椅子の張地の固定構造を示す図で、（Ａ）は背凭れ部分を中心とする分解斜視図、（Ｂ）は張地の固定構造を示す横断面図である。
【図１３】従来の椅子の張地の固定構造において環状フレームのコーナー部分を拡大して示す底面図である。
【発明を実施するための形態】
【００２３】
以下、本発明の構成を図面に示す実施形態に基づいて詳細に説明する。
【００２４】
図１から図１０に、本発明の張地の固定構造を張地によって覆われる部分が非環状のフレームから成る椅子に適用した実施の一形態を示す。なお、本明細書においては座４に座った着座者を基準にして上下、前後、左右を定義する。さらに、本明細書において使用する「コーナー部」という用語は、枠体の張地によって覆われる部分が縦横に四辺を有する図１１に示すような環状のフレームの場合における各四隅の角部を言うことは勿論のこと、枠体の張地によって覆われる部分が互いに向かい合う２本の有端のフレームから成る図７及び図８に示すような非環状フレームの場合における各フレームのそれぞれの端部を含むものである。
【００２５】
本実施形態の椅子１は、キャスターを有する脚１４と、脚１４の脚支柱１４ａの上端に取り付けられる弓形のメインフレーム２と、このメインフレーム２の両側端に立ち上げられた支持アーム２ａに前側端部６ｄで片持ち支持される一対のサイドフレーム６と、これら左右一対のサイドフレーム６の間に張り渡される１枚の張地７とを備え、一対のサイドフレーム６と１枚の張地７とによって座４及び背凭れ８が連続的に形成されている。即ち、この実施形態の椅子１は、張力が付与された状態で張地７によって覆われる部分が２本の平行なサイドフレーム６のみによって構成される非環状フレームを構成したものである。
【００２６】
サイドフレーム６としては例えば型材、棒材、パイプ材、板材などの使用が可能である。本実施形態では、サイドフレーム６はアルミ合金の押し出し成型品に曲げ加工を加えることで、座４となる水平部６ａ及び背凭れ８となる垂直部６ｂ並びにこれら水平部６ａと垂直部６ｂとを連結する湾曲部６ｃとが連続的に形成されている。そして、左右のサイドフレーム６は、湾曲部６ｃが中間連結部材９によって連結されると共に垂直部６ｂの上端部分が上端連結部材１０によって連結されて座４及び背凭れ８を構成するフレームとしての剛性が確保されている。なお、本実施形態では、中間連結部材９を利用して一対の肘掛け１３が取り付けられている。
【００２７】
メインフレーム２は、脚１４の脚支柱１４ａの上端に取り付けられているベース２ｂと、当該ベース２ｂの前部上面に左右両側に離間して対向して設けられて前方斜め上方に向けて伸びる左右一対のアーム２ａとを有する。そして、各アーム２ａの上端には、サイドフレーム６の下から宛がわれるようにして水平部６ａの前側端部６ｄ付近を受け支える支持部２ｃが設けられている。この支持部２ｃは、サイドフレーム６の水平部６ａの形状に合わせて僅かに湾曲しながら後方に向けて迫り出すように形成されている。なお、上述の構成を有するメインフレーム２は例えばアルミダイキャスト法によって一体成型される。
【００２８】
各アーム２ａの支持部２ｃの上面には、サイドフレーム６の前側端部６ｄの形状に合わせて形成されて当該前側端部６ｄを下から受ける凹部１６が形成されている。凹部１６は、支持部２ｃの後側にはそのまま突き抜け、前側はサイドフレーム６の前端面６ｅを受ける縦壁２ｄによって塞がれるものとして形成されている。縦壁２ｄは、支持部２ｃの前端（即ち、アーム２ａの前面）に形成され、アーム２ａの方向と同じ前方斜め上方向に沿っている。以下においては、凹部１６を形成する椅子の幅方向内側の壁のことを内側壁２ｅと呼ぶ。
【００２９】
そして、前端面６ｅを縦壁２ｄの後面に当接させて前側端部６ｄが支持部２ｃの凹部１６に嵌め合わされた状態で、縦壁２ｄを貫通する前側端部６ｄの軸心方向の一本の軸部材３及び内側壁２ｅを貫通する椅子の幅方向外向きの二本の軸部材２２が前側端部６ｄにねじ込まれることによって左右のサイドフレーム６がそれぞれ左右のアーム２ａに取り付けられて固定される。なお、両部材を固定するための軸部材３，２２としては例えばタッピンねじやボルトなどが用いられている。このように、各サイドフレーム６は前側端部６ｄを持ち上げようとする回転モーメントＭがボルト３を剪断する方向に作用するようにメインフレーム２に連結されて片持ち支持されているので、単にねじ山だけで回転モーメントを受け止める場合に比べて格段に支持剛性を高めることができる。このフレームの片持ち支持構造は、本実施例の如く、サイドフレーム６の前端側を支持する場合に限られず、座の後端側で支持したり、座に対して固定される背や、背に対して固定される肘掛けなどを片持ち支持する場合にも適用でき、その場合においても同様の支持剛性が得られることは言うまでもない。なお、本実施形態では、軸部材３と縦壁２ｄの前面との間に挟み込まれた取付金具２５の周縁に上から嵌め込まれて係止するカバー２４によって軸部材３の取付部分の前面が覆われている。
【００３０】
左右のサイドフレーム６の外側面には、張地７の縁部を嵌め込み固定するための主たる固定手段としての溝１１が全長に亘ってそれぞれ形成されている。この溝１１は、椅子の座や背などの身体支持構造物としての支持剛性を主として担うものとして機能し、張地７に張力が付与された状態で係止プレート１５と共に張地７の縁が嵌め込まれる。そして、サイドフレーム６の端部（有端の非環状フレームにおいてはコーナー部に該当する）６ｄ，６ｇには、溝１１と連続するコーナー部溝１２Ａ，１２Ｂが端面（有端の非環状フレームにおいてはコーナー面に該当する）６ｅ，６ｆにそれぞれ形成されている。具体的には、張地７の前縁部の角部を嵌め込むためのコーナー部溝１２Ａが前側端部６ｄの前端面６ｅに形成されると共に張地７の後縁部の角部を嵌め込むためのコーナー部溝１２Ｂが後側端部６ｇの後端面６ｆに形成されている。これらコーナー部溝１２Ａ，１２Ｂは、張地７の前後端縁のコーナー部に形成されるポケット部１７にサイドフレーム６の端面６ｅ，６ｆのコーナー部溝１２Ａ，１２Ｂよりも上方が完全に包み込まれるように嵌合するように、サイドフレーム６の外側面の溝１１と連通してサイドフレーム６の内側に完全に貫通するように形成されている（ 図２参照）。              
【００３１】
他方、張地７のサイドフレーム６の端部（コーナー部）６ｄ，６ｇに被せられる縁には、外側面の溝１１と嵌合する係止プレート１５とは別のコーナー部係止プレート１８を備え、コーナー部の張地の縁とコーナー部係止プレート１８とをコーナー部溝１２Ａ，１２Ｂに嵌合させ、コーナー部の張地の縁をコーナー部係止プレート１８ともどもコーナー部溝１２Ａ，１２Ｂに係止させるようにしている。
【００３２】
具体的には、張地７によって覆われる部分が互いに向かい合う２本の有端の非環状フレームを構成するサイドフレーム６のコーナー部たる端部６ｄ，６ｇの端面６ｅ，６ｆにコーナー部溝１２Ａ，１２Ｂを形成する一方、端面６ｅ，６ｆと対向する位置の張地７の縁を折り返して部分的に開口部を設けたポケット部１７を設けると共に該ポケット部１７の折り返し部分１７ａにコーナー部係止プレート１８を取り付け、フレーム端部６ｄ，６ｇにポケット部１７を被せるようにコーナー部係止プレート１８とポケット部１７の折り返し部分である張地の前端側あるいは後端側の縁とを端面６ｅ，６ｆのコーナー部溝１２Ａ，１２Ｂに嵌合させ、さらにフレーム６の外側面に設けられた溝１１に張地７の縁と係止プレート１５とを共に折り返すようにして嵌め込んで係止するようにしている。
【００３３】
なお、張地７の材質は、左右のサイドフレーム６の間に張り渡された状態で座４及び背凭れ８として適度な弾力性と張力とを発揮し得る材質（言い換えると、伸縮自在の素材）であれば特定のものに限定されるものではなく、例えばポリエステル製メッシュシート，各種の樹脂フィルム，布地，不織布などが用いられている。
【００３４】
また、本実施形態の係止プレート１５は、例えば樹脂製であり、二色成形によって溝１１に嵌合される硬質部分（コードとも呼ばれる）１５ａと溝１１の縁からサイドフレーム６の上面にかけて配置される軟質部分１５ｂとから成るものとして一体成形されている。そして、係止プレート１５は、左右のサイドフレーム６の上に被せられる張地７の左右の縁部のそれぞれに、前端から後端の全体に亘って設けられ、展開状態においては軟質部１５ｂが張地７の内側に配置されると共に外側に硬質部１５ａが配置されるようにして縫い付けられている（縫い線７ａ）。
【００３５】
硬質部１５ａは、張地７の縁部に取り付けられ、張力が付与されて張地７がサイドフレーム６に被せられた状態で外側面の溝１１に嵌め込まれたときに、張地７の張力によって溝１１に引っかかって抜け止めとして機能することにより、張地７をサイドフレーム６に固定するものである。本実施形態の場合、硬質部１５ａの先端にはさらにフック１５ｃが形成され、溝１１の奥側の底面にも凹み１１ａが形成されている。したがって、溝１１に係止プレート１５が嵌め込まれた状態では、張地７にかかる張力で引っ張られる係止プレート１５の先端のフック１５ｃが凹部１１ａに引っかかってさらに抜け止めとして機能を向上させる。そこで、硬質部１５ａは、溝３ａに嵌め込まれた状態から抜けないように簡単には折り曲がらない程度の硬さを有する素材で形成される。具体的には、硬質部１５ａは、所定の硬さを有する合成樹脂、例えばポリプロピレンによって形成されている。
【００３６】
他方、軟質部１５ｂは、張地７がサイドフレーム６に取り付けられた状態で張地７とサイドフレーム６との間に介在して外物の衝突に対する緩衝部材として機能するものである。同時に、着座者の着座時のフレームとの接触面を軟らかくする効果も奏するものである。このため、軟質部１５ｂは、少なくともサイドフレーム６よりも柔らかく弾力性を有する素材で形成される。すなわち、弾力性を有する素材例えばエラストマー素材によって形成される。勿論、係止プレート１５は、場合によっては硬質部１５ａのみから構成する場合もある。なお、張地７への係止プレート１５の取付方法は縫い付けには限られず、例えば接着や溶着などで取り付けるようにしても良い。なお、硬質部１５ａと軟質部１５ｂとは別々に成形した後に接着、溶着等によって結合させるようにしても良いし、場合によっては軟質部１５ｂを必要としないこともある。また、本実施形態では、硬質部１５ａと軟質部１５ｂとからなる係止プレート１５を全体として帯状のものとして成形されているが、係止プレート１５を取り付けた際に軟質部１５ｂを載置するフレームの形状に予め合わせておくようにしたり取り付けを容易にしたりすることを考慮し、係止プレート１５全体としてＬ字形に成形したり、Ｕ字形に成形したりするようにしても良い。尚、本実施形態において、コーナー部係止プレート１８は、硬質部分（コードとも呼ばれる）だけで構成されているが、場合によっては図示していないが外側面の溝１１に引っ掛けられる係止プレート１５と同様に、硬質部分と軟質部分とから成るものとして一体成形しても良い。この場合には、サイドフレーム６の端部（あるいは環状フレーム２１のコーナー部２１ａ）と張地７との間に係止プレート１８の軟質部分が介在されるため、端部あるいはコーナー部の張地７が外物と衝突しても軟質部分が緩衝部材として機能すると共に、着座者の着座時のフレームとの接触面を軟らかくする効果も奏するものである。
【００３７】
また、係止プレート１５は、必要に応じて長手方向に幾つかに分断され、長手方向に張地７を伸縮可能に設けることもある。例えば、図６に示すように、座と背とが連続的に一体成形された図１０に示すサイドフレーム６の湾曲部６ｃの両端付近において切断されて分割されている（分割箇所１５ｄ）。そして、分割箇所１５ｄを挟んでそれぞれ長手方向に１０ｍｍ程度が張地７と縫合されず、都合２０ｍｍ程度に亘って張地７が係止プレート１５によって拘束されない領域（無縫合領域）が形成されている。これによって、分割箇所１５ｄを中心に長手方向（前後方向）に張地７が伸縮自在に設けられている。このため、湾曲部６ｃの付近において、サイドフレーム６の表面に張られた張地７とサイドフレーム６の外側面の溝１１嵌合される係止プレート１５の硬質部１５ａとの間の曲率半径の差に起因して起こる張地７の皺を張地７を伸縮させることで解消させることができる。勿論、係止プレート１５の分割の有無とその分割箇所１５ｄの位置や無縫合領域（係止プレート１５が張地７に取り付けられていない領域）の長さは、試作段階などにおいて明らかなものとなるので、必要に応じて決定することが好ましい。
【００３８】
また、左右のサイドフレーム６の間の張地７の前後端の縁部には、左右のサイドフレーム６の間に亘る樹脂製の撓み防止用コード５がそれぞれ備えられている。本実施形態では、撓み防止用コード５は、張地７の前後縁部がそれぞれ裏面側に折り返されて縫いつけられて形成される筒部７ｃの中に摺動自在に収納されている。本実施形態の場合、撓み防止用コード５が筒部７ｃの中に完全に摺動自在に収納されて張地７に対して全く拘束されていないが、必要に応じて位置ずれや脱落防止のために１箇所を張地７に対して縫合することなどで固定するようにしても良い。例えば、撓み防止用コード５の中央あるいはいずれか一方の端部の若しくは任意の１箇所において、筒部７ｃの中の撓み防止用コード５を貫通するように張地７を縫合すればよい。この場合には、左右のサイドフレーム６の間のフレームによって直接固定されない張地７の縁部に、撓み防止用コード５を固定しながらも、この撓み防止用コードによって張地７の縁部の形が保たれ、張りが与えられると共に張地７の伸縮性も損なわれることがない。
【００３９】
本実施形態においては、サイドフレーム６の端部６ｄ，６ｇのコーナー部溝１２Ａ，１２Ｂに引っ掛けられるポケット部１７を、撓み防止用コード５を収納するための帯状の筒部７ｃを利用して形成するようにしている。すなわち、筒部７ｃの左右の端部に切り欠き部分７ｄを形成することによって、折り返し部分１７ａとポケット部１７とを形成するようにしている。そして、折り返し部分１７ａの内側には、コーナー部引っ掛け用プレート１８が縫い付けられて固定されている（縫い線７ｅ）。本実施形態の場合、張地７の前後端縁部の切り欠き部７ｄに相当する位置と筒部７ｃが形成される位置とに跨るようにコーナー部引っ掛け用プレート１８が予め縫い付けられ、その後、張地７の前後端縁部の縁部が２重に折り返されて縫い付けられることにより筒部７ｃが形成されている。なお、撓み防止用コード５は切り欠き部分７ｄから筒部７ｃの中に差し込まれる。
【００４０】
以上のように構成された張地の角部あるいは端部の固定構造によれば、例えば、サイドフレーム６の両端６ｄ，６ｇのコーナー部溝１２Ａ，１２Ｂに、張地７の四隅のポケット部１７を被せながらコーナー部係止プレート１８を端面６ｅ，６ｆのコーナー部溝１２Ａ，１２Ｂにまず嵌合させる。次いで、張地７の縁に取り付けられた帯状の係止プレート１５を、張地７に張力を付与した状態で一対のサイドフレーム６を覆いながらサイドフレーム６の外側面側に引き込み、張地７の縁を下向きでかつ内側に折り返すようにして係止プレート１５と張地７の縁とを溝１１に嵌め込んで係止することにより、張地７に張力を与えながらサイドフレーム６に固定することができる。このようにして、非環状フレームの間に張地を張り込むことによって座と背とが連続的に一体的に形成された身体支持構造物が得られる。
【００４１】
本実施形態では、２本の平行なサイドフレーム６の間に張地７を張り込むことによって座４や背８あるいは座と背とが連続的に一体的に形成された非環状フレームへの張地の固定構造の例を上げて主に説明したが、これに特に限られるものではなく、図１１に示すような環状のフレーム２１（即ち上下左右の四辺を有するフレーム）の各辺に張地７の縁を固定する構造物に適用可能であることは言うまでもない。環状のフレーム２１は張地７によって覆われる部分が四辺で囲まれた環状を成しかつそのうちの少なくとも１つの横の辺の両端のコーナー部２１ａが円弧状を成すものである。
【００４２】
例えば図１１に示すように、フレーム２１のコーナー部２１ａにも他の辺に形成されている溝１１と連続した円弧状のコーナー部溝１９を形成する一方、張地７のコーナー部の縁にコーナー部係止プレート２０を備え、円弧状のコーナー部２１ａに被せられる張地７の縁とコーナー部係止プレート２０とを折り返してコーナー部溝１９に嵌合させ、円弧状のコーナー部２１ａに被せられる張地７の縁をコーナー部係止プレート２０ともどもコーナー部溝１９に係止させて環状フレーム２１の各コーナー部（角部）２１ａに張地７を容易に飛び出させないように固定することができる。尚、本実施形態においては、コーナー部係止プレート２０は、外側面の溝１１に引っ掛けられる係止プレート１５と同様に、二色成形によって溝１１に嵌合される硬質部分２０ａと溝１９の縁から環状フレーム２１のコーナー部２１ａの上面にかけて配置される軟質部分２０ｂとから成るものとして一体成形されている。この場合には、環状フレーム２１のコーナー部２１ａと張地７との間に軟質部分２０ｂが介在されるため、コーナー部２１ａの張地７が外物と衝突しても軟質部分２０ｂが緩衝部材として機能すると共に、着座者の着座時のコーナー部２１ａにおけるフレーム２１との接触面を軟らかくする効果も奏するものである。
【００４３】
ここで、コーナー部係止プレート２０は、張地７を展開したときにはフレーム２１のコーナー部２１ａの湾曲とは逆向きの円弧状を成し、張地７の縁と共に折り返したときにコーナー部２１ａの円弧状のコーナー部溝１９に嵌合するように張地の四隅に縫合されている。ここで、コーナー部係止プレート２０は図示するような１枚の扇形のプレートである必要はなく、場合によっては何枚かに分割された扇形のプレートあるいは短冊形のプレートを組み合わせて用いるようにしても良い。何枚かに分割された扇形のプレートあるいは短冊形のプレートを組み合わせて用いる場合にも、張地７の縁と共に折り返したときに互いに一部重なったりして円弧状のコーナー部溝１９の形状に沿って全体としての形状を変化させて嵌合することができる。
【００４４】
なお、上述の形態は本発明の好適な形態の一例ではあるがこれに限定されるものではなく本発明の要旨を逸脱しない範囲において種々変形実施可能である。例えば、本発明は、図７及び図８に示す椅子１のサイドフレーム６への張地７の取り付けに適用した上述の実施形態を挙げて主に説明したが、これに特に限られるものではなく、異なるフレーム構造の椅子やソファなど、張地をフレームで支える構造を有する椅子類の全般やパーテーションなどの家具類などに対して適用することも可能である。
【００４５】
また、本実施形態では、アルミ合金の押し出し成型品から成るサイドフレームに直接張地を固定する構造としているが、これに特に限定されるものではなく、図１２に示す従来の椅子のように、金属製フレームに代えて張地の縁を支える樹脂製張地バックアップ部材の側面に溝を設け、この溝に張地の縁を該縁に縫い付けられた樹脂製のプレート（以下コードと呼ぶ）ともども折り返すように嵌め込むことにより、張地をフレームあるいは張地バックアップ部材に係止させるようにしても良い。
【００４６】
また、本実施形態では、有端の非環状フレームにおけるコーナー部溝１２Ａ，１２Ｂはサイドフレーム６の端面６ｅ，６ｆを完全に横切り、貫通するように設けられているが、場合によっては、例えば、端面６ｅ，６ｆの途中でコーナー部溝１２Ａ，１２Ｂが途切れて、行き止まりに形成されることもある。この場合には、張地７の前後端縁のコーナー部にポケット部１７が形成されずに、係止プレート１５と共に張地７の縁が折り返されて張地７が部分的にコーナー部溝１２Ａ，１２Ｂに嵌め込まれることとなる。さらに、コーナー部溝１２Ａ，１２Ｂはサイドフレームの外側面の溝１１と直交するような方向に抜ける必要はなく、例えば、外側面の溝１１に対して斜交する溝であったり、あるいは非直線形状の溝であっても良い。要は、張地７の縁と係止プレート１５とが折り返すようにしてコーナー部溝１２Ａ，１２Ｂに嵌め込まれ得る形状であれば十分である。このことは環状フレーム２１のコーナー部２１ａにおいても同様であり、コーナー部溝１９は円弧状に限られず、斜交する直線若しくは内側へ湾曲する凹みでも良い。
【符号の説明】
【００４７】
５  撓み防止用コード
６  サイドフレーム（非環状フレーム）
７  張地
７ｃ  筒部
１１  溝
１２Ａ，１２Ｂ  コーナー部溝
１５  係止プレート
１７  ポケット部
１７ａ  折り返し部
１８  コーナー部プレート
１９  円弧状のコーナー部溝
２０  円弧状のコーナー部プレート
２１  環状のフレーム
２１ａ  コーナー部
【図１】
0005484873.tif 000002
【図２】
0005484873.tif 000003
【図３】
0005484873.tif 000004
【図４】
0005484873.tif 000005
【図５】
0005484873.tif 000006
【図６】
0005484873.tif 000007
【図７】
0005484873.tif 000008
【図８】
0005484873.tif 000009
【図９】
0005484873.tif 000010
【図１０】
0005484873.tif 000011
【図１１】
0005484873.tif 000012
【図１２】
0005484873.tif 000013
【図１３】
0005484873.tif 000014